(57)【要約】【課題】階調設定はＲ、Ｇ、Ｂに共通としつつ、カラーフィルタの透過率のばらつきなどによる色温度のずれや変化を抑制することができる３原色式のカラー画像表示用表示装置を提供すること。【解決手段】カラー画像の１フレームをＲ、Ｇ、Ｂの３フレームに分離して順次表示させると共に、それらＲ、Ｇ、Ｂフレームに同期して、電源電圧を各フレームに応じて予め設定された電圧レベルに変更する。Ｒ用、Ｇ用、Ｂ用出力電圧データを、書き替え可能に記憶し、それら出力電圧データを基準電圧になるように電源回路へ供給する。【選択図】      図１
2006048001.tif 000002
【特許請求の範囲】
【請求項１】
カラー表示手段と、該カラー表示手段に入力画像を表示するための赤色画像データ、緑色画像データ、及び青色画像データを供給するソースドライバ及びゲートドライバと、該ソースドライバまたはおよびゲートドライバに電源電圧を印加する電源回路とを有する表示装置であって、
前記ソースドライバまたはおよび前記ゲートドライバに印加する前記電源電圧を前記赤色画像データ、緑色画像データ、及び青色画像データの所定の出力タイミング毎に変更可能にしたことを特徴とする、表示装置。
【請求項２】
カラー表示手段と、該カラー表示手段にゲート電圧を供給するゲートドライバと、前記カラー表示手段にソース電圧を供給するソースドライバと、同期信号を含むカラー画像データを受けて、前記ゲートドライバに所定のゲートドライバ制御用タイミング信号を供給し、且つ前記ソースドライバに所定のソースドライバ制御用タイミング信号及び画像データを供給するコントロールブロックと、階調電圧を生成し、前記ソースドライバにその階調電圧を供給する階調ブロックと、前記ソースドライバ及び前記階調ブロックに電源電圧を供給する電源ブロックとを含む表示装置において、
前記コントロールブロックは、カラー画像データの１フレームを赤色画像データの赤色フレーム、緑色画像データの緑色フレーム及び青色画像データの青色フレームに分離し、それら分離された赤色フレームの赤色画像データ、緑色フレームの緑色画像データ、青色フレームの青色画像データを前記ソースドライバに順次所定時間間隔で供給すると共に、前記電源ブロックに各赤色、緑色、青色フレームに同期した電圧制御用タイミング信号を供給し、
前記電源ブロックは、前記電圧制御用タイミング信号を受けて、前記電源電圧として各赤色フレーム、緑色フレーム、青色フレームに応じて設定されている赤色フレーム用電圧緑色フレーム用電圧、青色フレーム用電圧を発生することを特徴とする、表示装置。
【請求項３】
前記コントロールブロックは、画像データ及び各種のタイミング信号をコントロールするコントローラと、カラー画像データを赤色画像データ、緑色画像データ、青色画像データに分離された状態で記憶し、赤色画像データ、緑色画像データ、青色画像データ毎に読み出されるバッファメモリを有し、
前記ソースドライバへの前記赤色画像データ、緑色画像データ、青色画像データの供給は、前記電圧制御用タイミング信号の送出後、所定遅延時間の経過後に開始することを特徴とする、請求項２に記載の表示装置。
【請求項４】
前記電源ブロックは、前記電源電圧を発生する電源回路と、赤色フレーム、緑色フレーム、青色フレームに対応して予め定められた赤色用出力電圧データ、緑色用出力電圧データ、青色用出力電圧データを記憶し、それら赤色用出力電圧データ、緑色用出力電圧データ、青色用出力電圧データを前記電源回路へ供給する記憶装置とを有することを特徴とする、請求項２に記載の表示装置。
【請求項５】
前記記憶装置は、前記赤色用出力電圧データ、緑色用出力電圧データ、青色用出力電圧データを書き替え可能に記憶するプログラマブルＲＯＭであることを特徴とする、請求項４に記載の表示装置。
【請求項６】
前記電源回路は、
前記赤色用出力電圧データを記憶する赤色用レジスタ、前記緑色用出力電圧データを記憶する緑色用レジスタ、前記青色用出力電圧データを記憶する青色用レジスタと、
前記電圧制御用タイミング信号に応じて、前記赤色用レジスタ、緑色用レジスタ、青色用レジスタに記憶された前記赤色用出力電圧データ、緑色用出力電圧データ、青色用出力電圧データを順次選択して、前記電源電圧を制御するための基準電圧として出力するセレクタと、
前記電源電圧に応じた帰還電圧が前記基準電圧に等しくなるように動作する電圧調整回路とを有することを特徴とする、請求項４に記載の表示装置。
【請求項７】
前記セレクタは、前記電圧制御用タイミング信号をカウントするカウンタと、該カウンタのカウント値に応じて、前記赤色用出力電圧データ、緑色用出力電圧データ、青色用出力電圧データのいずれかを出力する論理回路とを有することを特徴とする、請求項６に記載の表示装置。
【請求項８】
カラー表示手段に入力画像を表示するための赤色画像データ、緑色画像データ、及び青色画像データを供給するソースドライバ及びゲートドライバと、該ソースドライバまたはおよびゲートドライバに電源電圧を印加する電源回路とを有する半導体装置であって、
前記ソースドライバまたはおよび前記ゲートドライバに印加する前記電源電圧を前記赤色画像データ、緑色画像データ、及び青色画像データの所定の出力タイミング毎に変更可能にしたことを特徴とする、半導体装置
【請求項９】
カラー表示手段にゲート電圧を供給するゲートドライバと、前記カラー表示手段にソース電圧を供給するソースドライバと、同期信号を含むカラー画像データを受けて、前記ゲートドライバに所定のゲートドライバ制御用タイミング信号を供給し、且つ前記ソースドライバに所定のソースドライバ制御用タイミング信号及び画像データを供給するコントロールブロックと、階調電圧を生成し、前記ソースドライバにその階調電圧を供給する階調ブロックと、前記ソースドライバ及び前記階調ブロックに電源電圧を供給する電源ブロックとを含む半導体装置において、
前記コントロールブロックは、カラー画像データの１フレームを赤色画像データの赤色フレーム、緑色画像データの緑色フレーム及び青色画像データの青色フレームに分離し、それら分離された赤色フレームの赤色画像データ、緑色フレームの緑色画像データ、青色フレームの青色画像データを前記ソースドライバに順次所定時間間隔で供給すると共に、前記電源ブロックに各赤色、緑色、青色フレームに同期した電圧制御用タイミング信号を供給し、
前記電源ブロックは、前記電圧制御用タイミング信号を受けて、前記電源電圧として各赤色フレーム、緑色フレーム、青色フレームに応じて設定されている赤色フレーム用電圧、緑色フレーム用電圧、青色フレーム用電圧を発生することを特徴とする、半導体装置。
【請求項１０】
前記コントロールブロックは、画像データ及び各種のタイミング信号をコントロールするコントローラと、カラー画像データを赤色画像データ、緑色画像データ、青色画像データに分離された状態で記憶し、赤色画像データ、緑色画像データ、青色画像データ毎に読み出されるバッファメモリを有し、
前記ソースドライバへの前記赤色画像データ、緑色画像データ、青色画像データの供給は、前記電圧制御用タイミング信号の送出後、所定遅延時間の経過後に開始することを特徴とする、請求項９に記載の半導体装置。
【請求項１１】
前記電源ブロックは、前記電源電圧を発生する電源回路と、赤色フレーム、緑色フレーム、青色フレームに対応して予め定められた赤色用出力電圧データ、緑色用出力電圧データ、青色用出力電圧データを記憶し、それら赤色用出力電圧データ、緑色用出力電圧データ、青色用出力電圧データを前記電源回路へ供給する記憶装置とを有することを特徴とする、請求項９に記載の半導体装置。
【請求項１２】
前記記憶装置は、前記赤色用出力電圧データ、緑色用出力電圧データ、青色用出力電圧データを書き替え可能に記憶するプログラマブルＲＯＭであることを特徴とする、請求項１１に記載の半導体装置。
【請求項１３】
前記電源回路は、
前記赤色用出力電圧データを記憶する赤色用レジスタ、前記緑色用出力電圧データを記憶する緑色用レジスタ、前記青色用出力電圧データを記憶する青色用レジスタと、
前記電圧制御用タイミング信号に応じて、前記赤色用レジスタ、緑色用レジスタ、青色用レジスタに記憶された前記赤色用出力電圧データ、緑色用出力電圧データ、青色用出力電圧データを順次選択して、前記電源電圧を制御するための基準電圧として出力するセレクタと、
前記電源電圧に応じた帰還電圧が前記基準電圧に等しくなるように動作する電圧調整回路とを有することを特徴とする、請求項１１に記載の半導体装置。
【請求項１４】
前記セレクタは、前記電圧制御用タイミング信号をカウントするカウンタと、該カウンタのカウント値に応じて、前記赤色用出力電圧データ、緑色用出力電圧データ、青色用出力電圧データのいずれかを出力する論理回路とを有することを特徴とする、請求項１３に記載の半導体装置。
【発明の詳細な説明】
【技術分野】
【０００１】
本発明は、３原色式のカラー画像データを用いて画像を表示する表示装置、特に液晶表示装置、及びそのための半導体装置に関する。
【背景技術】
【０００２】
近来、パーソナルコンピュータやテレビなどの軽量化及び薄形化によってディスプレイ装置も軽量化及び薄形化が要求されている。このような要求に応じて、陰極線管の代りに液晶表示装置のようなフラットパネル形ディスプレイが開発され、様々な分野において実用化されている。
【０００３】
液晶表示装置は、２枚の基板の間に注入されている液晶物質に電界を印加する。この電界の強さを調節して液晶を透過する光の偏光状況を変化させ、最終的には光量を調節することによって、液晶表示装置は所望の画像を表示する。カラー液晶表示装置では、赤色（Ｒ）、緑色（Ｇ）、青色（Ｂ）の画素毎にカラーフィルターが配置されており、Ｒ、Ｇ、Ｂの最大輝度で白色が決定される。
【０００４】
この白色の色温度が赤っぽくなったり、あるいは青っぽくなったりすることがある。これは主にカラーフィルタのカラー毎の透過率がばらつくことにより引き起こされる。
【０００５】
カラー毎の透過率のばらつきに対して、Ｒ、Ｇ、Ｂの各色毎に階調設定を行うようにすることで、色温度の変化を抑制することができる（特許文献１）。
【特許文献１】特開２００３−２９７２４号公報
【発明の開示】
【発明が解決しようとする課題】
【０００６】
しかし、階調設定は、通常Ｒ、Ｇ、Ｂに例えば１つのＩＣチップを用いて共通に行っている。これを、Ｒ、Ｇ、Ｂ別々に階調設定を行うためには、階調設定用に３個のＩＣチップを用意することになるから、コストの増加を招いてしまう。
【０００７】
そこで、本発明は、階調設定はＲ、Ｇ、Ｂに共通としつつ、カラーフィルタの透過率のばらつきなどによる色温度のずれや変化を抑制することができる３原色式のカラー画像表示用表示装置、及びそのための半導体装置を提供することを目的とする。
【課題を解決するための手段】
【０００８】
請求項１の表示装置は、カラー表示手段と、該カラー表示手段に入力画像を表示するための赤色（以下、Ｒ）画像データ、緑色（以下、Ｇ）画像データ、及び青色（以下、Ｂ）画像データを供給するソースドライバ及びゲートドライバと、該ソースドライバまたはおよびゲートドライバに電源電圧を印加する電源回路とを有する表示装置であって、
前記ソースドライバまたはおよび前記ゲートドライバに印加する前記電源電圧を前記Ｒ画像データ、Ｇ画像データ、及びＢ画像データの所定の出力タイミング毎に変更可能にしたことを特徴とする。
【０００９】
請求項２の表示装置は、カラー表示手段１０と、該カラー表示手段にゲート電圧を供給するゲートドライバ２０と、前記カラー表示手段にソース電圧を供給するソースドライバ３０と、同期信号を含むカラー画像データＤｃを受けて、前記ゲートドライバに所定のゲートドライバ制御用タイミング信号ｔｇを供給し、且つ前記ソースドライバに所定のソースドライバ制御用タイミング信号ｔｓ及び画像データを供給するコントロールブロック６０，７０と、階調電圧を生成し、前記ソースドライバにその階調電圧を供給する階調ブロック４０と、前記ソースドライバ３０及び前記階調ブロック４０に電源電圧を供給する電源ブロック８０、１００とを含む表示装置において、
前記コントロールブロックは、カラー画像データの１フレームをＲ画像データのＲフレーム、Ｇ画像データのＧフレーム及びＢ画像データのＢフレームに分離し、それら分離されたＲフレームのＲ画像データＤｒ、ＧフレームのＧ画像データＤｇ、ＢフレームのＢ画像データＤｂを前記ソースドライバに順次所定時間間隔Ｔ２で供給すると共に、前記電源ブロック８０、１００に各Ｒ、Ｇ、Ｂフレームに同期した電圧制御用タイミング信号ｔｐを供給し、
前記電源ブロックは、前記電圧制御用タイミング信号ｔｐを受けて、前記電源電圧として各Ｒフレーム、Ｇフレーム、Ｂフレームに応じて設定されているＲフレーム用電圧Ｖｒ、Ｇフレーム用電圧Ｖｇ、Ｂフレーム用電圧Ｖｂを発生することを特徴とする。
【００１０】
請求項３の表示装置は、請求項２に記載の表示装置において、前記コントロールブロックは、画像データ及び各種のタイミング信号をコントロールするコントローラ６０と、カラー画像データをＲ画像データＤｒ、Ｇ画像データＤｇ、Ｂ画像データＤｂに分離された状態で記憶し、Ｒ画像データ、Ｇ画像データ、Ｂ画像データ毎に読み出されるバッファメモリ７０を有し、
前記ソースドライバへの前記Ｒ画像データ、Ｇ画像データ、Ｂ画像データの供給は、前記電圧制御用タイミング信号ｔｐの送出後、所定遅延時間Ｔｂの経過後に開始することを特徴とする。
【００１１】
請求項４の表示装置は、請求項２に記載の表示装置において、前記電源ブロックは、前記電源電圧を発生する電源回路１００と、Ｒフレーム、Ｇフレーム、Ｂフレームに対応して予め定められたＲ用出力電圧データＤｖｒ、Ｇ用出力電圧データＤｖｇ、Ｂ用出力電圧データＤｖｂを記憶し、それらＲ用出力電圧データ、Ｇ用出力電圧データ、Ｂ用出力電圧データを前記電源回路へ供給する記憶装置８０とを有することを特徴とする。
【００１２】
請求項５の表示装置は、請求項４に記載の表示装置において、前記記憶装置８０は、前記Ｒ用出力電圧データ、Ｇ用出力電圧データ、Ｂ用出力電圧データを書き替え可能に記憶するプログラマブルＲＯＭであることを特徴とする。
【００１３】
請求項６の表示装置は、請求項４に記載の表示装置において、前記電源回路は、
前記Ｒ用出力電圧データを記憶するＲ用レジスタ１２１、前記Ｇ用出力電圧データを記憶するＧ用レジスタ１２２、前記Ｂ用出力電圧データを記憶するＢ用レジスタ１２３と、
前記電圧制御用タイミング信号ｔｐに応じて、前記Ｒ用レジスタ、Ｇ用レジスタ、Ｂ用レジスタに記憶された前記Ｒ用出力電圧データ、Ｇ用出力電圧データ、Ｂ用出力電圧データを順次選択して、前記電源電圧を制御するための基準電圧Ｖｒｅｆとして出力するセレクタ１３０と、
前記電源電圧に応じた帰還電圧Ｖｆｂが前記基準電圧Ｖｒｅｆに等しくなるように動作する電圧調整回路とを有することを特徴とする。
【００１４】
請求項７の表示装置は、請求項６に記載の表示装置において、前記セレクタ１３０は、前記電圧制御用タイミング信号ｔｐをカウントするカウンタ１３１と、該カウンタのカウント値に応じて、前記Ｒ用出力電圧データ、Ｇ用出力電圧データ、Ｂ用出力電圧データのいずれかを出力する論理回路とを有することを特徴とする。
【００１５】
請求項８の半導体装置は、カラー表示手段に入力画像を表示するためのＲ画像データ、Ｇ画像データ、及びＢ画像データを供給するソースドライバ及びゲートドライバと、該ソースドライバまたはおよびゲートドライバに電源電圧を印加する電源回路とを有する半導体装置であって、
前記ソースドライバまたはおよび前記ゲートドライバに印加する前記電源電圧を前記Ｒ画像データ、Ｇ画像データ、及びＢ画像データの所定の出力タイミング毎に変更可能にしたことを特徴とする。
【００１６】
請求項９の半導体装置は、カラー表示手段にゲート電圧を供給するゲートドライバ２０と、前記カラー表示手段にソース電圧を供給するソースドライバ３０と、同期信号を含むカラー画像データＤｃを受けて、前記ゲートドライバに所定のゲートドライバ制御用タイミング信号ｔｇを供給し、且つ前記ソースドライバに所定のソースドライバ制御用タイミング信号ｔｓ及び画像データを供給するコントロールブロック６０，７０と、階調電圧を生成し、前記ソースドライバにその階調電圧を供給する階調ブロック４０と、前記ソースドライバ３０及び前記階調ブロック４０に電源電圧を供給する電源ブロック８０、１００とを含む半導体装置において、
前記コントロールブロックは、カラー画像データの１フレームをＲ画像データのＲフレーム、Ｇ画像データのＧフレーム及びＢ画像データのＢフレームに分離し、それら分離されたＲフレームのＲ画像データＤｒ、ＧフレームのＧ画像データＤｇ、ＢフレームのＢ画像データＤｂを前記ソースドライバに順次所定時間間隔Ｔ２で供給すると共に、前記電源ブロック８０、１００に各Ｒ、Ｇ、Ｂフレームに同期した電圧制御用タイミング信号ｔｐを供給し、
前記電源ブロックは、前記電圧制御用タイミング信号ｔｐを受けて、前記電源電圧として各Ｒフレーム、Ｇフレーム、Ｂフレームに応じて設定されているＲフレーム用電圧Ｖｒ、Ｇフレーム用電圧Ｖｇ、Ｂフレーム用電圧Ｖｂを発生することを特徴とする。
【００１７】
請求項１０の半導体装置は、請求項９に記載の半導体装置において、前記コントロールブロックは、画像データ及び各種のタイミング信号をコントロールするコントローラ６０と、カラー画像データをＲ画像データＤｒ、Ｇ画像データＤｇ、Ｂ画像データＤｂに分離された状態で記憶し、Ｒ画像データ、Ｇ画像データ、Ｂ画像データ毎に読み出されるバッファメモリ７０を有し、
前記ソースドライバへの前記Ｒ画像データ、Ｇ画像データ、Ｂ画像データの供給は、前記電圧制御用タイミング信号ｔｐの送出後、所定遅延時間Ｔｂの経過後に開始することを特徴とする。
【００１８】
請求項１１の半導体装置は、請求項９に記載の半導体装置において、前記電源ブロックは、前記電源電圧を発生する電源回路１００と、Ｒフレーム、Ｇフレーム、Ｂフレームに対応して予め定められたＲ用出力電圧データＤｖｒ、Ｇ用出力電圧データＤｖｇ、Ｂ用出力電圧データＤｖｂを記憶し、それらＲ用出力電圧データ、Ｇ用出力電圧データ、Ｂ用出力電圧データを前記電源回路へ供給する記憶装置８０とを有することを特徴とする。
【００１９】
請求項１２の半導体装置は、請求項１１に記載の半導体装置において、前記記憶装置８０は、前記Ｒ用出力電圧データ、Ｇ用出力電圧データ、Ｂ用出力電圧データを書き替え可能に記憶するプログラマブルＲＯＭであることを特徴とする。
【００２０】
請求項１３の半導体装置は、請求項１１に記載の半導体装置において、前記電源回路は、
前記Ｒ用出力電圧データを記憶するＲ用レジスタ１２１、前記Ｇ用出力電圧データを記憶するＧ用レジスタ１２２、前記Ｂ用出力電圧データを記憶するＢ用レジスタ１２３と、
前記電圧制御用タイミング信号ｔｐに応じて、前記Ｒ用レジスタ、Ｇ用レジスタ、Ｂ用レジスタに記憶された前記Ｒ用出力電圧データ、Ｇ用出力電圧データ、Ｂ用出力電圧データを順次選択して、前記電源電圧を制御するための基準電圧Ｖｒｅｆとして出力するセレクタ１３０と、
前記電源電圧に応じた帰還電圧Ｖｆｂが前記基準電圧Ｖｒｅｆに等しくなるように動作する電圧調整回路とを有することを特徴とする。
【００２１】
請求項１４の半導体装置は、請求項１３に記載の半導体装置において、前記セレクタ１３０は、前記電圧制御用タイミング信号ｔｐをカウントするカウンタ１３１と、該カウンタのカウント値に応じて、前記Ｒ用出力電圧データ、Ｇ用出力電圧データ、Ｂ用出力電圧データのいずれかを出力する論理回路とを有することを特徴とする。
【発明の効果】
【００２２】
本発明によれば、カラー画像の１フレームをＲ、Ｇ、Ｂの３フレームに分離して順次表示させると共に、それらＲ、Ｇ、Ｂフレームに同期して、電源電圧を各フレームに応じて予め設定された電圧レベルに変更する。これにより、階調設定はＲ、Ｇ、Ｂに共通としつつ、カラーフィルタの透過率のばらつきなどによって引き起こされていた色温度のずれや変化を抑制することができる。
【００２３】
また、カラー表示手段（例えば、ＬＣＤパネルのソースドライバ）へのＲ、Ｇ、Ｂ画像データの供給は、電圧制御用タイミング信号ｔｐの送出後の所定遅延時間Ｔｂが経過した後に開始する。これにより、電圧レベル変更中に画像データを供給することをさけて、安定した表示を行うことができる。
【００２４】
また、Ｒ、Ｇ、Ｂフレームに対応して予め定められたＲ用、Ｇ用、Ｂ用出力電圧データＤｖｒ、Ｄｖｇ、Ｄｖｂを、書き替え可能に記憶するプログラマブルＲＯＭ等の記憶装置に記憶し、それら出力電圧データを基準電圧になるように電源回路へ供給する。これにより、液晶表示装置の構成を変更することなく、ＬＣＤパネルに応じて記憶装置のＲ用、Ｇ用、Ｂ用出力電圧データを変更するだけで、色温度のばらつき（ずれ）を緩和できる。また、同じＬＣＤパネルであっても、Ｒ用、Ｇ用、Ｂ用出力電圧データを変更するだけで、ユーザー等の要望のとおりに色温度を設定できるから、液晶表示装置、液晶表示装置の量産、開発効率が高い。
【発明を実施するための最良の形態】
【００２５】
以下、本発明の表示装置及びそのための半導体装置の実施例について、液晶表示装置を例にして、図を参照して説明する。図１は、本発明の液晶表示装置の構成を示す図である。ＬＣＤ表示パネル１０以外は、半導体装置として構成されることがよい。また、図２は、電源ブロックの構成を示す図である。
【００２６】
図１において、カラー液晶表示パネル（以下、ＬＣＤパネル）１０は、例えば、ＴＦＴ（薄膜トランジスタ）を用いたアクティブマトリクス駆動方式のものが用いられる。ゲートドライバ２０は、ＬＣＤパネル１０のマトリクス配置されたＴＦＴのゲートにゲート電圧を供給する。ソースドライバ３０は、ＬＣＤパネル１０のマトリクス配置されたＴＦＴのソース（あるいはドレイン）に画像データに対応した電圧を供給する。
【００２７】
階調ブロック４０は、階調電圧を生成し、ソースドライバ３０にその階調電圧を供給する。コモン電圧生成回路５０は、ＬＣＤパネル１０の交流化駆動のためのコモン電圧を生成してソースドライバ３０に供給するものであり、電源電圧を抵抗５１、５２で分圧し、その分圧された電圧をバッファ（例、ボルテージフォロア）を介してコモン電圧として出力する。
【００２８】
コントローラ６０とバッファメモリ７０とでコントロールブロックが構成されている。このコントロールブロックは、同期信号を含むカラー画像データＤｃを受けて、ゲートドライバ２０に所定のゲートドライバ制御用タイミング信号ｔｇを供給し、またソースドライバに所定のソースドライバ制御用タイミング信号ｔｓ及び画像データＤｒ、Ｄｇ、Ｄｂを供給する。
【００２９】
コントローラ６０は、カラー画像データＤｃの１フレームをＲ画像データのＲフレーム、Ｇ画像データのＧフレーム及びＢ画像データのＢフレームの３フレームに分離する。そして、Ｒ、Ｇ、Ｂ画像データの分離されたＲ、Ｇ、Ｂフレーム毎にバッファメモリ７０に記憶させる。
【００３０】
バッファメモリ７０は、ＲＡＭなどの記憶装置で構成されている。このバッファメモリ７０は、カラー画像データＤｃをＲ画像データＤｒ、Ｇ画像データＤｇ、Ｂ画像データＤｂに分離された状態で記憶し、そして、Ｒ、Ｇ、Ｂ画像データの分離されたフレーム毎に、順次、所定時間Ｔ２毎に順次読み出す。
【００３１】
カラー画像データＤｃの１フレームをＲ、Ｇ、Ｂの３フレームに分離して順次表示するから、所定時間Ｔ２は、カラー画像データＤｃの１フレームの時間Ｔ１の３分の１の時間である。
【００３２】
また、コントローラ６０は、電源ブロック８０、１００に各Ｒ、Ｇ、Ｂフレームに同期した電圧制御用タイミング信号ｔｐを供給する。
【００３３】
電源ブロックは、電源電圧を発生する電源回路１００と、Ｒフレーム、Ｇフレーム、Ｂフレームに対応して予め定められたＲ用出力電圧データＤｖｒ、Ｇ用出力電圧データＤｖｇ、Ｂ用出力電圧データＤｖｂを記憶し、それらＲ用出力電圧データ、Ｇ用出力電圧データ、Ｂ用出力電圧データを電源回路１００へ供給する記憶装置８０とを有している。電源回路１００は、Ｒ用、Ｇ用、Ｂ用出力電圧データＤｖｒ、Ｄｖｇ、Ｄｖｂに応じたＲ用、Ｇ用、Ｂ用出力電圧Ｖｒ、Ｖｇ、Ｖｂを発生する。これらの出力電圧は、例示すると、Ｖｒ＝９．１Ｖ、Ｖｇ＝９．０Ｖ、Ｖｂ＝９．２Ｖ、である。
【００３４】
この記憶装置８０は、Ｒ用、Ｇ用、Ｂ用出力電圧データＤｖｒ、Ｄｖｇ、Ｄｖｂを書き替え可能に記憶する、例えばＥＥＰＲＯＭなどのプログラマブルＲＯＭにより構成することがよい。この出力電圧データＤｖｒ、Ｄｖｇ、Ｄｖｂは、ＬＣＤパネルの表示の状態に応じて、あるいはユーザーの好みに応じて任意の値に変更される。
【００３５】
図２は、記憶装置８０と共に、電源回路１００の内部構成の例を示す図である。また、図３は、電源回路に用いるセレクタの構成例を示す図である。
【００３６】
図２において、電源回路１００はこの例では昇圧型のスイッチング電源回路である。コイルＬｏとスイッチングトランジスタＱｏが入力電圧Ｖｉｎとグランド間に直列に接続される。その直列接続点の電圧が、ダイオードＤｏとキャパシタＣｏで整流・平滑されて、出力電圧（電源電圧）Ｖｏｕｔ（Ｖｒ、Ｖｇ、Ｖｂ）が出力される。
【００３７】
インターフェース回路（以下、Ｉ／Ｆ回路）１１０は、例えば３線シリアル通信によって記憶装置８０からＲ用、Ｇ用、Ｂ用出力電圧データＤｖｒ、Ｄｖｇ、Ｄｖｂを受ける。そしてＩ／Ｆ回路１１０は、Ｒ用出力電圧データＤｖｒをＲ用レジスタ１２１に、Ｇ用出力電圧データＤｖｇをＧ用レジスタ１２２に、Ｂ用出力電圧データＤｖｂをＢ用レジスタ１２３に、それぞれ格納する。
【００３８】
セレクタ１３０には、Ｒ用、Ｇ用、Ｂ用レジスタ１２１、１２２、１２３に格納された、Ｒ用、Ｇ用、Ｂ用出力電圧データＤｖｒ、Ｄｖｇ、Ｄｖｂが入力されている。その出力電圧データＤｖｒ、Ｄｖｇ、Ｄｖｂのうちの１つの出力電圧データがタイミング信号ｔｐの入力毎に順次選択されて出力される。出力される出力電圧データ（Ｄｖｒ〜Ｄｖｂ）は、バッファメモリ７０から読み出されるフレーム（Ｒ〜Ｂ）と対応したものが読み出される。この出力電圧データＤｖｒ〜Ｄｖｂは、ディジタル信号である。
【００３９】
ディジタル・アナログ変換器（ＤＡＣ）１４０は、セレクタ１３０からの出力電圧データＤｖｒ、Ｄｖｇ、Ｄｖｂをアナログ電圧に変換する。このＤＡＣ１４０のアナログ電圧は、所定の電源電圧Ｖｏｕｔ（Ｖｒ、Ｖｇ、Ｖｂ）を得るための基準電圧Ｖｒｅｆとなる。
【００４０】
セレクタ１３０の構成例が、図３に示されている。図３において、カウンタ１３１はタイミング信号ｔｐが入力される毎にカウントアップする３値の繰り返しカウンタであり、例えばカラー画像データＤｃに含まれる同期信号によりカウント値を初期値にリセットする。この同期信号はコントローラ６０から容易に得られる。これにより、出力電圧データ「Ｄｖｒ〜Ｄｖｂ」と、バッファメモリ７０から読み出されるフレーム「Ｒ〜Ｂ」とがそれぞれ対応したものとなる。
【００４１】
図３のセレクタ回路１３０の論理回路、即ち、ナンド回路１３２〜１３７、ノット回路１３８、１３９に、Ｒ用、Ｇ用、Ｂ用出力電圧データＤｖｒ、Ｄｖｇ、Ｄｖｂも入力されている。このセレクタ回路１３０は、カウンタ１３１のカウント値に応じて、Ｒ用出力電圧データＤｖｒ、Ｇ用出力電圧データＤｖｇ、Ｂ用出力電圧データＤｖｂのいずれかを出力する。
【００４２】
図３では、カウンタ１３１の２つの出力端ｉ、iiの出力レベルが、「Ｈ、Ｌ」のとき、Ｒ用出力電圧データＤｖｒが選択され、出力端ｉ、iiの出力レベルが、「Ｌ、Ｌ」のとき、Ｇ用出力電圧データＤｖｇが選択され、また、出力端ｉ、iiの出力レベルが、「Ｌ、Ｈ」のとき、Ｂ用出力電圧データＤｖｂが選択される。
【００４３】
再び、図２に戻って、エラーアンプ１５０で、基準電圧Ｖｒｅｆと、電源電圧Ｖｏｕｔを抵抗Ｒ１，Ｒ２で分圧した帰還電圧Ｖｆｂとの差信号ＦＢを得る。ＰＷＭ比較器１７０で、差信号ＦＢと発振回路１６０からの三角波信号ＣＴとを比較して、パルス幅変調信号ＰＷＭを得る。ドライバ１８０で、パルス幅変調信号ＰＷＭと発振回路１６０からのクロック信号ＣＬＫとに基づいて、スイッチングトランジスタＱｏへのゲート制御信号Ｎ１を出力する。この一連のフィードバック制御ループによって、帰還電圧Ｖｆｂが基準電圧Ｖｒｅｆに等しくなるように制御され、電源電圧Ｖｏｕｔが所定レベルになる。
【００４４】
なお、エラーアンプ１５０以降の出力電圧Ｖｏｕｔが出力されるまでの回路構成を、電圧調整回路とする。この電圧調整回路は、基準電圧Ｖｒｅｆに応じた出力電圧Ｖｏｕｔが得られる構成のものであればよく、図２のものは１つの構成例である。
【００４５】
また、図２の２００はＩＣチップであり、電源回路１００のうちの制御回路部分を１つのＩＣチップに含ませた例として示している。このＩＣチップ２００に含まれる制御回路部分は、出力電流や出力電圧の大きさに直接関係しない部分であり、また、ＥＥＰＲＯＭなどの書き換え型の記憶装置とは別の製造工程で製造される。したがって、ＩＣチップ２００は、汎用の制御用ＩＣチップとして多様な製品（液晶表示装置）に適用できる。
【００４６】
以上のように構成されている、本発明の液晶表示装置の動作を、図４のタイミングチャートを参照して説明する。
【００４７】
本発明では、カラー画像データＤｃの１フレームを、Ｒ、Ｇ、Ｂの３フレームに分離して順次表示する。カラー画像が６０（あるいは７５）フレーム／ｓｅｃの場合には、３原色毎に分離した本発明の画像は１８０（あるいは２２５）フレーム／ｓｅｃの早さで表示することになる。即ち、図４に示すように、分離した本発明の画像の１フレーム時間（所定時間間隔）Ｔ２は、カラー画像の１フレーム時間Ｔ１の３分の１の時間である。
【００４８】
図４において、時点ｔ１でタイミング信号ｔｐが出されると、Ｒ画像フレームの期間に入る。この時点ｔ１のタイミングは、カラー画像フレームの期間Ｔ１の始まりに対応するので、電源回路１００、図２で言えばセレクタ１３０、へのフレーム同期タイミングとなる。したがって、このタイミングｔ１で、バッファメモリ７０からはＲ画像データが読み出されるようになると共に、電源回路１００からはＲ用出力電圧データＤｖｒに応じたＲ用出力電圧Ｖｒが発生されるようになる。
【００４９】
ただ、電源回路１００には、その出力電圧データ（この場合、Ｄｖｒ）が変化してから所定の出力電圧（この場合、Ｖｒ）が発生されるまでに若干の時間遅れがある。つまり、その時間遅れの期間の出力電圧は正しい表示を行うためには、有効な電圧レベルにない。
【００５０】
したがって、電源電圧Ｖｏｕｔが所定の電源電圧Ｖｒになってから、Ｒ画像データを読み出すことがよい。このために、時点ｔ１から所定遅延時間Ｔｂだけのブランキング期間を設ける。このブランキング期間Ｔｂは、電源電圧Ｖｏｕｔが所定の電源電圧Ｖｒになるまでに要する時間である。このブランキング期間Ｔｂが終了してから、Ｒ画像データを実際に読み出す。
【００５１】
時点ｔ２になると、バッファメモリ７０からはＧ画像データが読み出されるようになると共に、電源回路１００からはＧ用出力電圧データＤｖｇに応じたＧ用出力電圧Ｖｇが発生されるようになる。同様に、時点ｔ３になると、バッファメモリ７０からはＢ画像データが読み出されるようになると共に、電源回路１００からはＢ用出力電圧データＤｖｂに応じたＢ用出力電圧Ｖｂが発生されるようになる。
【００５２】
時点ｔ４で、次のカラー画像フレームの期間に入り、同様の動作が繰り返して行われる。
【００５３】
本発明によって、階調設定をＲ、Ｇ、Ｂの全ての色に共通にしたままで、カラーフィルタの透過率のばらつきなどによって引き起こされていた色温度のずれや変化を抑制可能になる。
【００５４】
また、プログラマブルＲＯＭ等の記憶装置に記憶したＲ用、Ｇ用、Ｂ用出力電圧データＤｖｒ、Ｄｖｇ、Ｄｖｂを書き替えるだけで、液晶表示装置の構成を変更することなく、色温度のばらつき（ずれ）を緩和できる。また、同じＬＣＤパネルであっても、ユーザー等の要望のとおりに色温度を設定可能である。
【００５５】
なお、電源回路としては、図２では昇圧型のスイッチング電源回路を用いることとして説明したが、降圧型スイッチング電源回路や、シリーズ型電源回路などその他の電源回路を用いることができる。
【図面の簡単な説明】
【００５６】
【図１】本発明の液晶表示装置の全体構成を示す図
【図２】電源ブロックの構成を示す図
【図３】電源回路に用いるセレクタの構成例を示す図
【図４】本発明の液晶表示装置の動作を説明するタイミングチャート
【符号の説明】
【００５７】
１０  ＬＣＤパネル
２０  ゲートドライバ
３０  ソースドライバ
４０  階調ブロック
５０  コモン電圧生成回路
６０  コントローラ
７０  バッファメモリ（ＲＡＭ）
８０  記憶装置（ＥＥＰＲＯＭ）
１００  電源回路
１２１〜１２３  Ｒ用、Ｇ用、Ｂ用レジスタ
１３０  セレクタ
【図１】
2006048001.tif 000003
【図２】
2006048001.tif 000004
【図３】
2006048001.tif 000005
【図４】
2006048001.tif 000006